(57)【特許請求の範囲】
【請求項１】
テープ状の離型紙上に接続部材を保持してなる接続部材テープを供給するテープ供給機構と、
前記テープ供給機構により供給される前記接続部材テープの前記接続部材のみをその長さ方向の任意の位置で切断し、前記離型紙上に保持された状態の所定の長さの接続部材片を形成する切断機構と、
前記切断機構により形成された所定の長さの接続部材片を被貼付部材上に貼り付ける貼付機構と、
前記切断機構により形成された所定の長さの不要な接続部材片を前記離型紙上から取り除く不要部材剥離機構であって、前記接続部材テープとの間でその長さ方向の位置を相対的に移動させながら前記不要な接続部材片を前記離型紙上から取り除く不要部材剥離機構と、
前記テープ供給機構により供給される前記接続部材テープを前記切断機構、前記貼付機構および前記不要部材剥離機構にそれぞれ位置付けるよう、当該接続部材テープをその長さ方向に沿って移動させるテープ送り機構とを備え、
前記不要部材剥離機構は、剥離用テープと、この剥離用テープの一部を前記不要な接続部材片に当接させた状態で当該剥離用テープを前記接続部材テープと前記不要部材剥離機構との間の相対的な移動速度に同期させて移動させる剥離用テープ移動機構とを有することを特徴とする接続部材貼付装置。
【請求項２】
前記接続部材テープの前記接続部材のうち前記被貼付部材上に貼り付けられる前記所定の長さの接続部材片に隣接する接続部材片を前記離型紙上から取り除く部分剥離機構をさらに備えたことを特徴とする、請求項１記載の接続部材貼付装置。
【請求項３】
前記不要部材剥離機構は、前記接続部材テープの前記接続部材のうち先頭部に位置する不要な接続部材片を前記離型紙上から取り除くことを特徴とする、請求項１または２記載の接続部材貼付装置。
【発明の詳細な説明】
【０００１】
【発明の属する技術分野】
本発明は、基板上に電子部品を実装する部品実装装置に係り、とりわけ、基板上に電子部品を接続するための接続部材片を基板や電子部品等の被貼付部材上に貼り付けるための接続部材貼付装置に関する。
【０００２】
【従来の技術】
液晶表示装置等のフラットパネルディスプレイを製造するための部品実装装置として、基板上に電子部品を実装する部品実装装置が知られている。
【０００３】
このような部品実装装置においては一般に、接続部材貼付装置により、基板上に異方性導電膜片等の接続部材片を貼り付け、この貼り付けられた接続部材片を介して基板上に電子部品を実装するようになっている。
【０００４】
従来の接続部材貼付装置では一般に、テープ状の離型紙上に接続部材を保持してなる接続部材テープを所定の搬送経路に沿って供給し、接続部材テープの搬送経路上に配設された貼付機構により、所定の長さの接続部材片を基板や電子部品等の被貼付部材上に貼り付けるようにしている。なお、このような接続部材貼付装置で用いられる接続部材テープは、繰出しリールおよび巻取りリールを含むテープ供給機構にセットされ、繰出しリールに巻き回された接続部材テープが所定の搬送経路に沿って搬送された上で巻取りリールにより巻き取られるようになっている。
【０００５】
しかしながら、テープ供給機構にセットされる接続部材テープの接続部材のうち先頭部に位置する部分はその膜厚や延在状態等が不完全であることが多く、テープ供給機構に接続部材テープを新たにセットした際には、接続部材のうち先頭部に位置する不要な部分を離型紙上から取り除き、被貼付部材上に貼り付けることが可能な接続部材の部分を頭出しする必要がある。
【０００６】
従来においては、このような接続部材テープの頭出し方法として、オペレータが手作業により接続部材の不要な部分を取り除く方法が一般的に用いられている。また、特開平５−２５８８２６号公報に記載されているような剥離機構を用いて接続部材の不要な部分を取り除く方法も知られている。なお、特開平５−２５８８２６号公報に記載されている剥離機構は、剥離用テープを接続部材テープの接続部材に対して離接させる機構を有し、接続部材テープの接続部材のうち剥離用テープが当接した部分の接続部材片を剥離紙上から取り除くようになっている。
【０００７】
【発明が解決しようとする課題】
しかしながら、上述した従来の接続部材テープの頭出し方法のうち、オペレータが手作業により接続部材の不要な部分を取り除く方法では、不要な部分を取り除くために多大な時間および手間がかかるという問題がある。また、特開平５−２５８８２６号公報に記載されている剥離機構を用いた場合でも、接続部材の不要な部分が広範囲にわたる場合にはその部分を取り除くために接続部材テープを搬送経路に沿って移動させながら剥離機構を多数回に亘って離接させる必要があり、接続部材テープの頭出しを効率よく行うことが困難であるという問題がある。
【０００８】
本発明はこのような点を考慮してなされたものであり、接続部材テープに含まれる接続部材の不要な部分を離型紙上から短時間にかつ任意の距離に亘って取り除くことができ、テープ供給機構に接続部材テープをセットした際に必要とされる接続部材テープの頭出しを効率よく行うことができる、接続部材貼付装置を提供することを目的とする。
【０００９】
【課題を解決するための手段】
本発明は、テープ状の離型紙上に接続部材を保持してなる接続部材テープを供給するテープ供給機構と、前記テープ供給機構により供給される前記接続部材テープの前記接続部材のみをその長さ方向の任意の位置で切断し、前記離型紙上に保持された状態の所定の長さの接続部材片を形成する切断機構と、前記切断機構により形成された所定の長さの接続部材片を被貼付部材上に貼り付ける貼付機構と、前記切断機構により形成された所定の長さの不要な接続部材片を前記離型紙上から取り除く不要部材剥離機構であって、前記接続部材テープとの間でその長さ方向の相対的な位置を移動させながら前記不要な接続部材片を前記離型紙上から取り除く不要部材剥離機構と、前記テープ供給機構により供給される前記接続部材テープを前記切断機構、前記貼付機構および前記不要部材剥離機構にそれぞれ位置付けるよう、当該接続部材テープをその長さ方向に沿って移動させるテープ送り機構とを備え、前記不要部材剥離機構は、剥離用テープと、この剥離用テープの一部を前記不要な接続部材片に当接させた状態で当該剥離用テープを前記接続部材テープと前記不要部材剥離機構との間の相対的な移動速度に同期させて移動させる剥離用テープ移動機構とを有することを特徴とする接続部材貼付装置を提供する。
【００１０】
なお、本発明においては、前記接続部材テープの前記接続部材のうち前記被貼付部材上に貼り付けられる前記所定の長さの接続部材片に隣接する接続部材片を前記離型紙上から取り除く部分剥離機構をさらに備えることが好ましい。また、前記不要部材剥離機構は、前記接続部材テープの前記接続部材のうち先頭部に位置する不要な接続部材片を前記離型紙上から取り除くことが好ましい。
【００１１】
本発明によれば、剥離用テープの一部を接続部材テープの不要な接続部材片に当接させた状態で接続部材テープと不要部材剥離機構とをその長さ方向に沿って相対的に移動させるとともに、不要部材剥離機構の剥離用テープ移動機構により、接続部材テープと不要部材剥離機構との間の相対的な移動速度に同期させて剥離用テープを移動させるようにしているので、接続部材テープの接続部材の先頭部に位置する不要な接続部材片を離型紙上から短時間にかつ任意の距離に亘って自動的に取り除くことができ、このため、テープ供給機構に接続部材テープを新たにセットした際に必要とされる接続部材テープの頭出しを効率よく行うことができる。
【００１２】
【発明の実施の形態】
以下、図面を参照して本発明の実施の形態について説明する。図１乃至図４は本発明による接続部材貼付装置の一実施の形態を示す図である。
【００１３】
まず、図１により、本実施の形態に係る接続部材貼付装置の全体構成について説明する。
【００１４】
図１に示すように、接続部材貼付装置１は、接続部材テープ２０を供給するテープ供給機構として、接続部材テープ２０を繰り出す繰出しリール２と、繰出しリール２から繰り出された接続部材テープ２０を巻き取る巻取りリール３と、接続部材テープ２０の搬送経路に沿って配設されたガイドローラ４，５，６，７および上下一組のテンションローラ８とを有している。ここで、繰出しリール２から繰り出された接続部材テープ２０は、図２(a)に示すように、テープ状の離型紙２１上に異方性導電膜等からなる粘着性を有する接続部材２２を保持したものであり、接続部材２２を下方に向けた状態で搬送される。なお、接続部材２２の先頭部には一般に、膜厚や延在状態等が不完全な不要な部分（符号２２ａ参照）が形成されている。
【００１５】
図１に示すように、接続部材テープ２０の搬送経路のうち、接続部材テープ２０が水平状態で搬送される水平経路（ガイドローラ５とガイドローラ６との間の経路）の下方には、切断刃９ａを有する切断機構９が配設されており、接続部材テープ２０の接続部材のみをその長さ方向の任意の位置で切断し、離型紙上に保持された状態の所定の長さの接続部材片を形成することができるようになっている。
【００１６】
また、接続部材テープ２０の水平経路の上方には、貼付機構１０が配設されており、切断機構９により形成された接続部材テープ２０の所定の長さの接続部材片を、水平経路の下方に配置される基板や電子部品等の被貼付部材（図示せず）上に貼り付けることができるようになっている。なお、貼付機構１０は、接続部材テープ２０の所定の長さの接続部材片を熱圧着するための加圧部１１と、加圧部１１を上下方向に移動させる駆動部１２とを有している。
【００１７】
ここで、接続部材テープ２０の水平経路の下方には、接続部材テープ２０を挟んで剥離バックアップ１４に対向するように配設された頭出し用剥離機構（不要部材剥離機構）１３が設けられており、図３に示すように、切断機構９により形成された接続部材テープ２０の所定の長さの不要な接続部材片２２ａを離型紙２１上から取り除くことができるようになっている。なお、頭出し用剥離機構１３および剥離バックアップ１４は、接続部材テープ２０から不要な接続部材片を剥離した後は、接続部材テープ２０の接続部材片を被貼付部材上に貼り付ける際に用いられる貼付機構１０および被貼付部材と干渉しないよう、待避するようになっている。
【００１８】
図３に示すように、頭出し用剥離機構１３は、剥離用テープ３１と、この剥離用テープ３１を移動させる剥離用テープ移動機構３２とを有している。なお、剥離用テープ移動機構３２は、剥離用テープ３１を繰り出す繰出しリール３３と、繰出しリール３３から繰り出された剥離用テープ３１を巻き取る巻取りリール３４と、剥離用テープ３１の搬送経路に沿って配設されたガイドローラ３５，３６，３７，３８とを有している。なお、ガイドローラ３６，３７は剥離用テープ３１を接続部材テープ２０に当接させるための当接ローラとしても作用する。
【００１９】
また、図１に示すように、接続部材テープ２０の水平経路の下方には、接続部材テープ２０を挟んで剥離バックアップ１６に対向するように配設された部分剥離機構１５が設けられており、図４に示すように、接続部材テープ２０の接続部材２２のうち被貼付部材上に貼り付けられる所定の長さの接続部材片２２ｂに隣接する接続部材片２２ｃを離型紙２１上から取り除くことができるようになっている。
【００２０】
図４に示すように、部分剥離機構１５は、剥離用テープ４１と、この剥離用テープ４１を移動させる剥離用テープ移動機構４２とを有している。なお、剥離用テープ移動機構４２は、剥離用テープ４１を繰り出す繰出しリール４３と、繰出しリール４３から繰り出された剥離用テープ４１を巻き取る巻取りリール４４と、剥離用テープ４１の搬送経路に沿って配設されたガイドローラ４５，４７およびガイド体４６とを有している。なお、ガイド体４６は剥離用テープ４１を接続部材テープ２０に当接させるための当接体としても作用する。
【００２１】
なお、図１に示すように、接続部材テープ２０の水平経路中には、接続部材テープ２０を切断機構９、貼付機構１０、頭出し用剥離機構１３および部分剥離機構１５にそれぞれ位置付けるよう、当該接続部材テープ２０をその長さ方向に沿って移動させるテープ送り機構１７が配設されている。なお、テープ送り機構１７は、接続部材テープ２０をその上面側および下面側のそれぞれから挟持するチャック１８ａ，１８ｂを有し、当該チャック１８ａ，１８ｂを接続部材テープ２０を挟持した状態で接続部材テープ２０の水平経路に沿って移動させることにより接続部材テープ２０をその長さ方向に沿って移動させることができるようになっている。
【００２２】
次に、図１および図２により、このような構成からなる本実施の形態の作用について説明する。なお、図２は、図１に示す接続部材貼付装置１による接続部材片の貼付過程を説明するための図である。
【００２３】
まず、接続部材テープ２０が巻き回された繰出しリール２とブランク状態の巻取りリール３とを準備し、繰出しリール２から繰り出される接続部材テープ２０を、ガイドローラ４，５，６，７およびテンションローラ８に掛け回した上で、その端部を巻き取りリール３に取り付ける。
【００２４】
この状態で、テープ送り機構１７により、接続部材テープ２０をその長さ方向に沿って移動させ、次のような手順に従って、接続部材テープ２０の水平経路の上方および下方に配設された切断機構９、貼付機構１０、頭出し用剥離機構１３および部分剥離機構１５にそれぞれ位置付け、接続部材テープ２０の接続部材２２に対して切断、剥離および貼付等の処理を施す。
【００２５】
ここで、接続部材テープ２０の接続部材２２の先頭部には、膜厚や延在状態等が不完全な不要な部分（符号２２ａ参照）が形成されているので、まず、切断機構９により、接続部材２２の不要な部分が終わる位置で、接続部材テープ２０の接続部材２２のみを切断刃９ａにより切断し、接続部材２２に切り込み２３を入れる。これにより、不要な接続部材片２２ａが形成される。そして、この状態で、接続部材テープ２０の不要な接続部材片２２ａを頭出し用剥離機構１３に位置付ける（図２(a)）。
【００２６】
次いで、頭出し用剥離機構１３により、接続部材テープ２０の接続部材２２の先頭部に位置する不要な接続部材片２２ａを離型紙２１上から取り除き、被貼付部材上に貼り付けることが可能な接続部材２２の部分を頭出しする（図２(b)）。
【００２７】
具体的には、図３(a)(b)(c)(d)に示すように、頭出し用剥離機構１３は、まず、剥離バックアップ１４との間で接続部材テープ２０を挟持するよう上昇し（図３(a)）、次いで、剥離用テープ３１の一部を接続部材テープ２０の不要な接続部材片２２ａに当接させた状態で接続部材テープ２０の長さ方向（図面左方向）に沿って移動する（図３(b)）。なおこのとき、頭出し用剥離機構１３の剥離用テープ移動機構３２は、不要な接続部材片２２ａを剥離用テープ３１に付着させた状態で、接続部材テープ２０と頭出し用剥離機構１３との間の相対的な移動速度に同期させて剥離用テープ３１を時計回りに移動させ、これにより、不要な接続部材片２２ａを離型紙２１上から取り除く。その後、不要な接続部材片２２ａを全て取り除いた状態で、頭出し用剥離機構１３が下降し（図３(c)）、図３(a)に示す最初の状態に戻る（図３(d)）。なおこのとき、頭出し用剥離機構１３の剥離用テープ移動機構３２は、剥離用テープ３１を時計回りに移動させ、当接ローラであるガイドローラ３６とガイドローラ３７との間に位置する剥離用テープ３１がその表面を露出するようにする。
【００２８】
その後、切断機構９により、被貼付部材上に貼り付けられる接続部材片の端部に対応する位置、およびそこから部分剥離機構１５により取り除くことが可能な接続部材片の長さだけ離れた位置で、接続部材テープ２０の接続部材２２のみを切断刃９ａにより切断し、接続部材２２に切り込み２４，２５を入れる。これにより、被貼付部材上に貼り付けられる接続部材片２２ｂ、および部分剥離機構１５により取り除かれる接続部材片２２ｃがそれぞれ形成される。そして、この状態で、接続部材テープ２０の接続部材片２２ｃを部分剥離機構１５に位置付ける（図２(c)）。
【００２９】
次いで、部分剥離機構１５により、接続部材テープ２０の接続部材２２のうち被貼付部材上に貼り付けられる接続部材片２２ｂに隣接する接続部材片２２ｃを離型紙２１上から取り除く（図２(d)）。
【００３０】
具体的には、図４(a)(b)(c)に示すように、部分剥離機構１５は、まず、剥離バックアップ１６との間で接続部材テープ２０を挟持するよう上昇し（図４(a)）、剥離用テープ４１の一部を接続部材テープ２０の接続部材片２２ｃに当接させる（図４(b)）。その後、部分剥離機構１５は、接続部材片２２ｃを剥離用テープ４１に付着させた状態で下降し、これにより、接続部材片２２ｃを離型紙２１上から取り除く（図４(c)）。なおこのとき、部分剥離機構１５の剥離用テープ移動機構４２は、剥離用テープ４１を時計回りに移動させ、当接体であるガイド体４６上に位置する剥離用テープ４１がその表面を露出するようにする。
【００３１】
その後、接続部材テープ２０の接続部材片２２ｂを貼付機構１０に位置付け（図２(e)）、貼付機構１０により、接続部材テープ２０の接続部材片２２ｂを基板や電子部品等の被貼付部材２６上に貼り付ける（図２(f)）。
【００３２】
このように本実施の形態によれば、剥離用テープ３１の一部を接続部材テープ２０の不要な接続部材片２２ａに当接させた状態で頭出し用剥離機構１３を接続部材テープ２０の長さ方向に沿って移動させるとともに、頭出し用剥離機構１３の剥離用テープ移動機構３２により、接続部材テープ２０と頭出し用剥離機構１３との間の相対的な移動速度に同期させて剥離用テープ３１を時計回りに移動させるようにしているので、接続部材テープ２０の接続部材２２の先頭部に位置する不要な接続部材片２２ａを離型紙２１上から短時間にかつ任意の距離に亘って自動的に取り除くことができ、このため、テープ供給機構に接続部材テープ２０を新たにセットした際に必要とされる接続部材テープ２０の頭出しを効率よく行うことができる。
【００３３】
なお、上述した実施の形態においては、接続部材テープ２０を固定した状態で頭出し用剥離機構１３を接続部材テープ２０の長さ方向に沿って移動させるようにしているが、接続部材テープ２０と頭出し用剥離機構１３とはその長さ方向に沿って相対的に移動すればよく、頭出し用剥離機構１３を固定した状態で接続部材テープ２０をその長さ方向に沿って移動させるようにしてもよい。
【００３４】
また、上述した実施の形態においては、頭出し用剥離機構１３により、接続部材テープ２０の接続部材２２の不要な部分を１回で取り除く場合を例に挙げて説明したが、接続部材２２の不要な部分が広範囲にわたる場合にはその部分を取り除くために２回以上に分けて取り除くようにしてもよい。
【００３５】
【発明の効果】
以上説明したように本発明によれば、接続部材テープに含まれる接続部材の不要な部分を離型紙上から短時間にかつ任意の距離に亘って取り除くことができ、テープ供給機構に接続部材テープをセットした際に必要とされる接続部材テープの頭出しを効率よく行うことができる。
【図面の簡単な説明】
【図１】本発明による接続部材貼付装置の一実施の形態の全体構成を示す図。
【図２】図１に示す接続部材貼付装置による接続部材片の貼付過程を説明するための図。
【図３】図１に示す接続部材貼付装置の頭出し用剥離機構の動作を説明するための図。
【図４】図１に示す接続部材貼付装置の部分剥離機構の動作を説明するための図。
【符号の説明】
１  接続部材貼付装置
２  繰出しリール
３  巻取りリール
４，５，６，７  ガイドローラ
８  テンションローラ
９  切断機構
９ａ  切断刃
１０  貼付機構
１１  加圧部
１２  駆動部
１３  頭出し用剥離機構（不要部材剥離機構）
１４  剥離バックアップ
１５  部分剥離機構
１６  剥離バックアップ
１７  テープ送り機構
１８ａ，１８ｂ  チャック
２０  接続部材テープ
２１  離型紙
２２  接続部材
２２ａ，２２ｂ，２２ｃ  接続部材片
２３，２４，２５  切り込み
２６  被貼付部材
３１，４１  剥離用テープ
３２，４２  剥離用テープ移動機構
３３，４３  繰出しリール
３４，４４  巻取りリール
３５，３６，３７，３８，４５，４７  ガイドローラ
４６  ガイド体
【図１】
0004031661.tif 000002
【図２】
0004031661.tif 000003
【図３】
0004031661.tif 000004
【図４】
0004031661.tif 000005